(57)【特許請求の範囲】
【請求項１】
複数種類のＣＡＤの相互間にてデータの使用が可能となるようにデータの変換を行うＣＡＤデータ変換システムにおいて、
前記ＣＡＤの元データを、形状データと、この形状データとは異なる補助データとに分割するデータ分割手段と、
前記形状データをＣＡＤ形式の第１データに変換すると共に、前記補助データをプリント用の形式の第２データに変換する第１データ変換手段と、
前記プリント用の形式の第２データを、ＣＡＤ形式に変換する第２データ変換手段と、
前記ＣＡＤ形式の第２データと第１データ変換手段で変換した第１データとを合成するデータ合成手段とを備えていることを特徴とするＣＡＤデータ変換システム。
【請求項２】
第１データ変換手段は、第２データに合成時の基準点となる基準データを変換時に追加するように構成されていることを特徴とする請求項１に記載のＣＡＤデータ変換システム。
【請求項３】
前記第１データ変換手段は、補助データを第２データに変換する際には、補助データを、プリント用の形式の１つであるＨＰ−ＧＬの形式の第２データに変換することを特徴とする請求項１又は２に記載のＣＡＤデータ変換システム。
【請求項４】
前記第２データ変換手段は、プリント用の形式の第２データをＣＡＤ形式に変換する際に、第２データ内のデータのうち属性が同じであるものをブロック化してＣＡＤ形式に変換することを特徴とする請求項１〜３のいずれかに記載のＣＡＤデータ変換システム。
【請求項５】
コンピュータを用いて複数種類のＣＡＤの相互間にてデータの使用が可能となるようにデータの変換を行うＣＡＤデータ変換方法であって、
前記コンピュータは、
前記ＣＡＤの元データを、形状データと、この形状データとは異なる補助データとに分割するステップと、
前記形状データをＣＡＤ形式の第１データに変換するステップと、
前記補助データをプリント用の形式の第２データに変換するステップと、
前記プリント用の形式の第２データをＣＡＤ形式に変換した後に、当該第２データと前記第１データとを合成するステップと、
を実行することを特徴とするＣＡＤデータ変換方法。
【請求項６】
前記コンピュータは、補助データをプリント用の形式の第２データに変換する際には、当該第２データに合成時の基準点となる基準データを追加することを特徴とする請求項５に記載のＣＡＤデータ変換方法。
【請求項７】
前記コンピュータは、前記補助データを第２データに変換する際には、補助データを、プリント用の形式の１つであるＨＰ−ＧＬの形式の第２データに変換することを特徴とする請求項５又は６に記載のＣＡＤデータ変換方法。
【請求項８】
前記コンピュータは、前記プリント用の形式の第２データをＣＡＤ形式に変換する際には、第２データ内にあるデータのうち属性が同じであるものをブロック化してＣＡＤ形式に変換することを特徴とする請求項５〜７のいずれかに記載のＣＡＤデータ変換方法。
【発明の詳細な説明】
【技術分野】
【０００１】
本発明は、複数種類のＣＡＤの相互間にてデータの使用が可能となるようにデータの変換を行うＣＡＤデータ変換システムに関するものである。
【背景技術】
【０００２】
従来より、複数種類のＣＡＤの相互間で、データの使用が可能となるようにデータの変換を行うＣＡＤデータ変換システムが様々開発されている。例えば、ＣＡＤデータ変換システムでは、ＣＡＤ独自の形式で記述されたデータを、他のＣＡＤ独自の形式のデータに変換して、ＣＡＤ相互間でのデータの使用が可能となるようにしている。
ＣＡＤのデータを相互間で使用できるように、共通した形式として最も良く使用されている１つにｄｘｆ形式というものがあるが、ｄｘｆ形式で変換されたデータを全てのＣＡＤが使用できるという分けではないのが実情である。
【０００３】
ｄｘｆ形式に関わらず、ＣＡＤデータ変換後に、ＣＡＤの相互間でデータの使用ができない理由として、変換後のデータを使用すると、文字や寸法線などが正しく表示されないことが多い。
そこで、ＣＡＤデータ変換システムにおいて、データを変換しても文字や寸法線が正しく表示できるようにした技術が開発されている（例えば、特許文献１）。
この特許文献１では、複数の異なる機種のＣＡＤ装置間で、複数の補助線とこの補助線間の長さを表示する狭義の寸法線とからなる寸法線を含む図面データを交換するため、中間ファイルフォーマットデータをＣＡＤデータに変換する異種機種間の図面データ交換方式において、寸法線の変換時に生ずる誤差を補正する寸法線補正手段を備えている。
【特許文献１】特開平６−１１９４０８号公報
【発明の開示】
【発明が解決しようとする課題】
【０００４】
特許文献１のＣＡＤデータ変換システムでは、ＣＡＤデータ変換後の読み込みにおいて、寸法線のズレを補正してＣＡＤの図面を表示することができるものの、読み込み側のＣＡＤにおいて文字などの変換形式が、変換のデータに対応していない場合には、文字化けが生じて、この文字化けを修正することはできず、全てのＣＡＤに対応できないことが問題である。
そこで、本発明は、上記問題点に鑑み、１のＣＡＤで作成した寸法、文字などに対応する補助データを読み込んでも他のＣＡＤにて確実に正しく表示することができるＣＡＤデータ変換システム及びＣＡＤデータ変換方法を提供することを目的とする。
【課題を解決するための手段】
【０００５】
前記目的を達成するため、本発明においては以下の技術的手段を講じた。
すなわち、本発明における課題解決のための技術的手段は、複数種類のＣＡＤの相互間にてデータの使用が可能となるようにデータの変換を行うＣＡＤデータ変換システムにおいて、前記ＣＡＤの元データを、形状データと、この形状データとは異なる補助データとに分割するデータ分割手段と、前記形状データをＣＡＤ形式の第１データに変換すると共に、前記補助データをプリント用の形式の第２データに変換する第１データ変換手段と、前記プリント用の形式の第２データを、ＣＡＤ形式に変換する第２データ変換手段と、前記ＣＡＤ形式の第２データと前記第１データ変換手段で変換した第１データとを合成するデータ合成手段とを備えている点にある。
【０００６】
第１データ変換手段は、第２データに合成時の基準点となる基準データを変換時に追加するように構成されていることが好ましい。
前記第１データ変換手段は、補助データを第２データに変換する際には、補助データを、プリント用の形式の１つであるＨＰ−ＧＬの形式の第２データに変換することが好ましい。
前記第２データ変換手段は、プリント用の形式の第２データをＣＡＤ形式に変換する際に、第２データ内のデータのうち属性が同じであるものをブロック化してＣＡＤ形式に変換することが好ましい。
【０００７】
本発明の他の技術的手段は、コンピュータを用いて複数種類のＣＡＤの相互間にてデータの使用が可能となるようにデータの変換を行うＣＡＤデータ変換方法であって、前記コンピュータは、前記ＣＡＤの元データを、形状データと、この形状データとは異なる補助データとに分割するステップと、前記形状データをＣＡＤ形式の第１データに変換するステップと、前記補助データをプリント用の形式の第２データに変換するステップと、前記プリント用の形式の第２データをＣＡＤ形式に変換した後に、当該第２データと前記第１データとを合成するステップと、を実行する点にある。
前記コンピュータは、補助データをプリント用の形式の第２データに変換する際には、当該第２データに合成時の基準点となる基準データを追加することが好ましい。また、前記コンピュータは、前記補助データを第２データに変換する際には、補助データを、プリント用の形式の１つであるＨＰ−ＧＬの形式の第２データに変換することが好ましい。
【０００８】
前記コンピュータは、前記プリント用の形式の第２データをＣＡＤ形式に変換する際には、第２データ内にあるデータのうち属性が同じであるものをブロック化してＣＡＤ形式に変換することが好ましい。
【発明の効果】
【０００９】
本発明によれば、１のＣＡＤで作成した寸法、文字などに対応する補助データを読み込んでも他のＣＡＤにて確実に正しく表示することができる。
【発明を実施するための最良の形態】
【００１０】
本発明の実施の形態を図面に基づいて説明する。
図１に示すように、ＣＡＤデータ変換システム１は、複数種類のＣＡＤの相互間にてデータの使用が可能となるようにＣＡＤのデータ（以降、ＣＡＤデータということがある）を変換するもので、コンピュータ２内にインストールされたソフトウェア等から構成されている。
ＣＡＤデータ変換システム１のコンピュータ２は、制御部３と、記憶部４と、を備えている。
【００１１】
コンピュータ２には、キーボードやマウス等の入力装置が接続されると共に、ＣＡＤ上の図面等を表示する表示装置（例えば、モニター）が接続されている。
記憶部４は、ハードディスク、ＣＤ、ＤＶＤ等の不揮発性のメモリーから構成されていて、ＣＡＤソフトウェアが格納されていると共に、変換前のＣＡＤに対応した形式で保存されたＣＡＤデータ等が格納されている。即ち、図１及び図２に示すように、記憶部４に格納されたＣＡＤファイル９には、変換前のＣＡＤデータの元データが記憶されていると共に、変換後のＣＡＤデータが記憶される。
【００１２】
制御部３は、入力装置、表示装置及びソフトウェアの様々な処理をするものであって、データ分割手段５と、第１データ変換手段６と、第２データ変換手段７と、データ合成手段８とを備えている。
図２に示すように、データ分割手段５は、ＣＡＤデータの変換時に、ＣＡＤファイル９に記憶されているＣＡＤデータの元データを、形状データと、この形状データとは異なる補助データとに分割するものである。詳しくは、図３（ａ）の第１図面Ａを、ＣＡＤデータの元データを表示したものとすると、図２及び図３（ｂ）に示すように、データ分割手段５は、ＣＡＤデータの変換時に、直線、円、曲線などの形状１０に対応した形状データと、寸法線、文字（例えば、記号、注記）、英数などの補助的に設けられた補助体１１に対応した補助データとに分ける。
【００１３】
図２に示すように、第１データ変換手段６は、データ分割手段５にて分割した形状データを、ＣＡＤ形式（例えば、Ｋ−ＣＡＤであれば「ｃａｄ」、ＡＵＴＯ−ＣＡＤであれば、「ｄｗｇ」）とは異なる他のＣＡＤ形式（例えば、ｄｘｆ）の第１データに変換するものである。第１データ変換手段６において、形状データを、予め保存している形状データのＣＡＤ形式とは異なる他のＣＡＤ形式に変換した後は、一旦、記憶部４に格納されている形状データファイル１６に、変換後の第１データが記憶される。
また、第１データ変換手段６は、データ分割手段５にて分割した補助データを、ＣＡＤ形式とは異なるプリント用の形式（以降、プリント形式ということがある）の第２データに変換する。プリント用の形式とは、プリント用の制御言語により記述されたもので、ポストスクリプトに代表されるページ記述言語や、ＨＰ−ＧＬ、ＧＰ−ＧＬ、ＨＭ−ＧＬ、Ｄ−ＳＣＡＮ、ＣＤＣＬ等のプロッタ記述言語である。
【００１４】
この実施形態では、第１データ変換手段６は、補助データをプリント形式の第２データに変換する際には、当該補助データに合成時に用いる基準データを追加した後に、プリント形式の１つであるＨＰ−ＧＬの形式の第２データに変換するようになっている。
詳しくは、図３（ｃ）に示すように、第１データ変換手段６は、分割後の補助データを表した第２図面Ｂに対して、基準点Ｐを追加し、この基準点Ｐの位置（座標）を求めて、その位置や座標を基準データとする。そして、第１データ変換手段６は、基準点Ｐに関する基準データを補助データに追加した後、基準データが追加された補助データをプリント形式に変換する。
【００１５】
この基準点Ｐは図面の範囲を示すことができるものであることが好ましい。例えば、第２図面Ｂの図面領域１２の両端の対角線上に、それぞれ２つの基準点Ｐ１、Ｐ２を付与して、この２つの基準点Ｐ１、Ｐ２における位置（座標）の基準データを補助データに追加することが好ましい。このような場合は、当然の如く、分割後の第２図面Ｂと元図である第１図面Ａとの図面領域１２の大きさや位置は同じである。
図２に示すように、第２データ変換手段７は、プリント形式の第２データをＣＡＤ形式に変換するもので、詳しくは、第１データ変換手段６において、一旦、ＣＡＤ形式からプリント形式に変換された補助データ（第２データ）を、第２データ変換手段７にてプリント形式からＣＡＤ形式（ｄｘｆ,ｄｗｇなど）に変換するものである。第２データ変換手段７において、プリント形式の補助データをＣＡＤ形式である第２データに変換した後は、一旦、記憶部４に格納されている補助データファイル１７に変換後の第２データが記憶されるようになっている。
【００１６】
第２データ変換手段７によって、補助データ（第２データ）を、プリント形式からＣＡＤ形式に変換する際、当該第２データ変換手段７は、変換前（ＣＡＤ形式に変換前）の第２データ内にあるデータのうち属性が同じであるものをブロック化した後、ＣＡＤ形式に変換している。例えば、ＣＡＤ形式に変換前の第２データ内（第２図面Ｂ）に複数の寸法線があると共に、寸法線とは異なる複数の文字があるとすると、第２データ変換手段７は、まず、変換前の第２データを、寸法線のグループと、文字のグループとの属性毎にデータを分ける。そして、第２データ変換手段７は、分けられた寸法線のグループが１つのブロック（塊）として認識されると共に、分けられた文字のグループが１つのブロック（塊）として認識されるように、第２データをプリント形式からＣＡＤ形式に変換する。
【００１７】
データ合成手段８は、第２データ変換手段７で変換した第２データと第１データ変換手段６で変換した第１データとを合成するものである。このデータ合成手段８は、合成後のデータを読み込んで図面を表示した際に、その図面が、見かけ上、変換前の元の第１図面Ａと同じ状態となるように、第２データと第１データとを合成する。
図４に示すように、第３図面Ｃが形状データファイル１６に格納された第１データを表示したもので、第２図面Ｂが補助データファイル１７に格納された第２データを表示したものとする。データ合成手段８は、第１データ変換手段６で変換した際に定めた第２図面Ｂの基準点Ｐ１，Ｐ２と、この基準点Ｐ１,Ｐ２に対応する第３図面Ｃの対応点Ｎ１,Ｎ２とが一致するように、第２図面Ｂ又は第３図面Ｃの縮小、拡大を行って第２図面Ｂと第３図面Ｃとを一致させる。そして、データ合成手段８は、第２図面Ｂと第３図面Ｃとが一致した（基準点Ｐ１，Ｐ２と対応点Ｎ１，Ｎ２とが一致）状態における第１データ及び第２データの座標系の修正をして合成を行うことで、両者のデータを合成する。第１データと第２データとの合成後は、ＣＡＤファイルに変換後のＣＡＤデータを格納する。
【００１８】
次に、図５及び図６を用いて、本発明のＣＡＤデータ変換方法を、ＣＡＤデータ変換システム１におけるデータ変換の動作と合わせて説明する。
この説明において、説明の便宜上、ＣＡＤデータの元データには、図５（ａ）に示す、自動販売機１３に対応した形状データと、寸法線１４、数値「１８００」、記号「ｍｍ」、注記「材料ＳＰＣＣ」に対応した補助データが格納されているものとする。なお、下記の説明において、記号「ｍｍ」と注記「材料ＳＰＣＣ」とをまとめて文字ということがある。また、元データのＣＡＤの拡張子は、「ｃａｄ」であり、この「ｃａｄ」を他のＣＡＤの拡張子「ｄｘｆ」に変換するものとする。
【００１９】
図５（ｂ）に示すように、まず、データの変換を行うには、ＣＡＤソフトウェアに設けられている変換機能を用いて、データ分割手段５により、元のＣＡＤデータを、自動販売機１３に対応した形状データと、寸法線１４、数値「１８００」、記号「ｍｍ」、注記「材料ＳＰＣＣ」に対応した補助データとに分割する（図６のＳ１）。このとき、自動販売機１３に対応した形状データの第３図面Ｃと、寸法線１４、数値「１８００」、記号「ｍｍ」、注記「材料ＳＰＣＣ」に対応した補助データの第２図面Ｂとの両者の図面範囲の大きさは同じであり、図面範囲の縦横比は同じである。
【００２０】
第１データ変換手段６により、自動販売機１３に対応した形状データを他のＣＡＤ形式（拡張子「ｄｘｆ」）に変換して、形状データファイル１６に変換後の形状データ（第１データ）を記憶する（図６のＳ２）。
図５（ｃ）に示すように、第１データ変換手段６によって、例えば、補助データに対応した第２図面Ｂから図面領域１２を求めて、当該図面領域１２の境界ライン上の左右の２点をそれぞれ抽出し、抽出した点を基準点Ｐ１,Ｐ２として当該基準点Ｐ１,Ｐ２の位置等を示す基準データを補助データに追加する（図６のＳ３）。基準点Ｐ１，Ｐ２については、第２図面Ｂ又は第１図面Ａの図面領域１２の境界ライン上でなくてもよく、例えば、第３図面Ｃと共通した２点（例えば、原点と、その他の点）を任意に抽出してもよいし、第３図面Ｃと共通した第２図面Ｂ又は第１図面Ａの座標に点や円をプロットして、その点や円を基準点Ｐとしてもよい。
【００２１】
基準データを補助データに追加した後に、寸法線１４、数値「１８００」、記号「ｍｍ」、注記「材料ＳＰＣＣ」及び基準点Ｐ１,Ｐ２を含む補助データを、第１データ変換手段６によって、プリント形式（ＨＰ−ＧＬ形式）の第２データに変換する（図６のＳ４）。寸法線１４、数値「１８００」、記号「ｍｍ」、注記「材料ＳＰＣＣ」及び基準点Ｐ１,Ｐ２をＨＰ−ＧＬ形式の第２データに変換した状態では、これらの寸法線１４、数値「１８００」、記号「ｍｍ」、注記「材料ＳＰＣＣ」及び基準点Ｐ１，Ｐ２は、ＣＡＤに属さないプリント用の形式（データ形式）となっている。
【００２２】
ＣＡＤに属さないプリント用の形式の第２データ（補助データ）を、第２変換手段７によって変換対象の他のＣＡＤの拡張子である「ｄｘｆ」に変換する（図６のＳ５）。変換する際、変換する前の第２図面Ｂ上に、複数の寸法線１４、複数の数値、複数の記号が存在する場合、第２変換手段７は、第２データを属性毎、即ち、寸法線、数値、記号、注記のぞれぞれにグループ化して、グループ化された属性の各補助体１１が、それぞれ１つのブロックとなるように、他のＣＡＤ形式に変換する。
プリント用の形式の第２データをＣＡＤの拡張子に変換した後、当該第２データをＣＡＤで読み込んだ場合、変換前にＣＡＤ上で寸法線１４、数値「１８００」、記号「ｍｍ」、注記「材料ＳＰＣＣ」として認識していたものが、寸法線１４、数値「１８００」、記号「ｍｍ」、注記「材料ＳＰＣＣ」としたキャラクターではなく、寸法線１４や数値「１８００」、記号「ｍｍ」及び注記「材料ＳＰＣＣ」も、線や曲線の集合として認識されることになる。これら寸法線１４、数値、記号、注記は、ぞれぞれブロック化されているので、複数の寸法線１４、複数の数値、複数の記号が存在する場合には、他のＣＡＤにおいてデータを読み込み後に、一度に、寸法線１４（寸法線のグループ）のみを削除したり、数値（数値のグループ）のみを削除したり、記号（記号のグループ）のみを削除したり、
注記「材料ＳＰＣＣ」（注記グループ）のみを削除することができる。
【００２３】
なお、上記の説明では、寸法に関し、寸法に関する数字「１８００」及び記号「ｍｍ」と、寸法線１４とをぞれぞれ分けた上で、これら寸法線１４、数字「１８００」及び記号「ｍｍ」を別々にグループ化（ブロック化）していたが、寸法に関する寸法線１４、記号「ｍｍ」及び数値「１８００」は、寸法に関する１つのもの（寸法の属性）として考えて、１つの塊としてブロック化して、これらをまとめて削除できるようにしてもよい。
また、図５（ｃ）に示すように、記号と注記とは広義で言えば文字となり、図面上には寸法に関する文字（記号）と、寸法に関しない文字（注記）とが存在することになるが、上述したように寸法に関する文字は寸法線１４と同じ属性として考え、寸法に関しない文字（注記）とは別とし、これらを第２変換手段７によって別々にグループ化することによって、寸法に関する文字（記号）は寸法線１４と共に同時に削除でき、寸法に関しない文字（注記）は、寸法に関する文字（記号）とは別に削除できるようにしてもよい。
【００２４】
第２データ変換手段７により、ＣＡＤに属さないプリント用の形式の第２データ（補助データ）を、変換対象の他のＣＡＤの拡張子である「ｄｘｆ」に変換した後は、補助データファイル１７に変換後の補助データ（第２データ）を記憶する（図６のＳ６）。
図５（ｄ）に示すように、データ合成手段８により、基準点Ｐの基準データを用いて、形状データによる第３図面Ｃと補助データによる第２図面Ｂとが一致するように、形状データファイル１６に格納されている第１データと、補助データファイル１７に格納されている第２データとを合成する（図６のＳ７）。
【００２５】
データ合成手段８によって、形状データ（第１データ）と補助データ（第２データ）との合成が完了すると、合成データを記憶部４のＣＡＤファイルに変換後のＣＡＤデータとして記憶させる。
図５（ｅ）に示すように、合成データを他のＣＡＤで読み込むと、そのＣＡＤでは、図５（ａ）と同様に、同じ位置に、自動販売機１３と、寸法線１４及び数値「１８００」とを表示することができる。そして、形状データに対応した自動販売機１３に対しては、その図形をＣＡＤ上で操作して大きさなどを変更することができる。
【００２６】
以上、本発明によれば、ＣＡＤの元データを、形状データと、この形状データとは異なる補助データとに分割し、形状データをＣＡＤ形式の第１データに変換すると共に、補助データをプリント用の形式の第２データに変換し、プリント用の形式の第２データをＣＡＤ形式に変換した後に、当該第２データと第１データとを合成するようにしているので、ＣＡＤデータを変換後に、他のＣＡＤにて変換後のＣＡＤデータを読み込んだとしても、位置ズレや文字化けを引き起こしやすい寸法線１４、文字などを、位置ズレや文字化けを引き起こすことなく変換前の図面と同じ状態で正しく表示することができる。ＣＡＤの相互間で、ＣＡＤ同士の互換性によって、寸法線１４、文字、英数字などの位置ズレ、文字化け、文字フォントの変化が発生することが多いが、これを解消することが確実にできる。
【００２７】
特に、従来のＣＡＤデータの変換システムやＣＡＤデータ変換方法では、膨大なＣＡＤデータを形式の異なるＣＡＤで読み込んだ場合において、線、円などの形状１０は正しく表示されているものの、一部の文字や英数字などの位置ズレ、文字化けが発生している虞があるため、図面の検図に時間が掛かることになっていたが、本発明では、位置ズレや文字化けを確実に防止しているので、検図の時間を大幅に削減することができる。
本発明によれば、補助データをプリント用の形式の第２データに変換する際には、当該第２データに合成時の基準点Ｐとなる基準データを付与しているので、第１データと第２データとの合成を確実に素早く成すことができる。
【００２８】
補助データを第２データに変換する際には、補助データを、プリント用の形式の１つであるＨＰ−ＧＬの形式の第２データに変換しているので、ＣＡＤ形式のデータを非常に簡単に印刷イメージに近いデータに変換することができる。
しかも、プリント用の形式の第２データをＣＡＤ形式に変換する際に、第２データ内にあるデータのうち属性が同じであるものをブロック化してＣＡＤ形式に変換しているので、例えば、ＣＡＤデータ変換後の図面に寸法線が複数存在する場合であれば、複数の寸法線を一度に削除したり、寸法線に関する他の操作（移動、複写、回転等）をなすことができる。特に、図面上に属性の異なるもの（例えば、寸法線、数値、文字）が存在する場合は、ＣＡＤデータ変換後の図面に対して、属性毎に独立した操作が行えると共に、１つの属性のものに対して１度の操作により、削除、移動、複写、回転、変更などの操作を行うことができる。
【図面の簡単な説明】
【００２９】
【図１】ＣＡＤデータ変換システムの構成図である。
【図２】ＣＡＤデータ変換の手順を示した図である。
【図３】変換前の元の図面を説明する説明図である。
【図４】第１データと第２データとの合成を説明する説明図である。
【図５】変換するデータの手順をＣＡＤの画面表示として示した図である。
【図６】ＣＡＤデータ変換方法を示したフローチャートである。
【符号の説明】
【００３０】
１ データ変換システム
２ コンピュータ
３ 制御部
４ 記憶部
５ データ分割手段
６ 第１データ変換手段
７ 第２データ変換手段
８ データ合成手段
１０ 形状
１１ 補助体
１２ 図面領域
１３ 自動販売機
１４ 寸法線
１６ 形状データファイル
１７ 補助データファイル
【図１】
0004980966.tif 000002
【図２】
0004980966.tif 000003
【図３】
0004980966.tif 000004
【図４】
0004980966.tif 000005
【図５】
0004980966.tif 000006
【図６】
0004980966.tif 000007